(57)【要約】【課題】可撓性基板が外部に導出された半導体装置の樹脂封止において、ＦＰＣ基板上のバリを抑制することのできる半導体装置の製造方法を提供することを目的とする。【解決手段】可撓性基板の引き出し部に流動を抑制された第１の封止樹脂を接触させながら、易流動性を示す第２の封止樹脂により可撓性基板搭載面以外を樹脂封止する。【選択図】図２
2011114138.tif 000002
【特許請求の範囲】
【請求項１】
回路基板と、前記回路基板に実装された半導体素子と、前記回路基板に接続された可撓性基板とを備えた構造体を準備する工程と、
導出孔を備えた金型を準備し、前記可撓性基板の一部が前記導出孔を介して外部へ導出されるよう前記構造体を前記金型内に配置する工程と、
前記金型内の、前記導出孔近傍には前記導出孔を通じて外部へ流動しない第１の流動性を有する第１のシート状樹脂を配置し、前記第１のシート状樹脂及び前記構造体の上方には、前記第１の流動性より低い第２の流動性を有する第２のシート状樹脂を配置する工程と、
前記金型を加熱しながら加圧することにより、前記第２のシート状樹脂を溶融させ、前記金型内の前記構造体を樹脂で被覆する工程とを備えたことを特徴とする半導体装置の製造方法。
【請求項２】
前記第１のシート状樹脂は、前記構造体を樹脂で被覆する工程にいおいて硬化状態であることを特徴とする請求項１記載の半導体装置の製造方法。
【請求項３】
前記第１のシート状樹脂及び前記第２のシート状樹脂を構成する主材料は同種であり、
前記第１のシート状樹脂は前記第２のシート状樹脂よりその内部に粉末状シリカフィラーが高密度に分散されたことを特徴とする請求項１または２記載の半導体装置の製造方法。
【請求項４】
前記構造体を樹脂で被覆する工程は真空雰囲気中で実施されることを特徴とする請求項１乃至３のいずれか記載の半導体装置の製造方法。
【発明の詳細な説明】
【技術分野】
【０００１】
本発明は、フレキシブルプリント基板（ＦＰＣ基板）を用いた半導体装置の製造方法に関する。
【背景技術】
【０００２】
半導体分野において、半導体素子を樹脂封止することは広く知られている。その一つとして、半導体素子を実装したリードフレームや回路基板を金型内に入れ、この金型内に溶融した樹脂を充填し固化する方法が知られている。
【０００３】
また、特許文献１には、樹脂成形を行う金型のクランプ部に接触する緩衝部材を設けることが開示されている。
【先行技術文献】
【特許文献】
【０００４】
【特許文献１】特開平０８−２３６５６０号公報
【発明の概要】
【発明が解決しようとする課題】
【０００５】
特許文献１に係る樹脂封止工程では、リードフレームや回路基板と金型との隙間から樹脂の漏出を防ぐため、金型によって内部の各要素を締め付けている。
【０００６】
一方、回路基板として可撓（とう）性基板であるフレキシブルプリント基板（ＦＰＣ基板）を用いることも考えられるが、このＦＰＣ基板は一般的な硬質基板に比較して外力に対して弱いので、樹脂封止工程では金型を強く締め付けることができず、樹脂の漏出を防ぐことが困難であった。その結果、漏出した樹脂によりＦＰＣ基板上に薄膜状のバリが形成され、外観が損なわれるだけでなく、バリが付着した部分でのＦＰＣ基板の屈曲性が低下する可能性がある。
【０００７】
本発明は、可撓性基板上のバリの発生を低減可能な半導体装置の製造方法を実現することを目的とする。
【課題を解決するための手段】
【０００８】
本願の代表的な発明は、回路基板と、前記回路基板に実装された半導体素子と、前記回路基板に接続された可撓性基板とを備えた構造体を準備する工程と、
導出孔を備えた金型を準備し、前記可撓性基板の一部が前記導出孔を介して外部へ導出されるよう前記構造体を前記金型内に配置する工程と、
前記金型内の、前記導出孔近傍には前記導出孔を通じて外部へ流動しない第１の流動性を有する第１のシート状樹脂を配置し、前記第１のシート状樹脂及び前記構造体の上方には、前記第１の流動性より低い第２の流動性を有する第２のシート状樹脂を配置する工程と、
前記金型を加熱しながら加圧することにより、前記第２のシート状樹脂を溶融させ、前記金型内の前記構造体を樹脂で被覆する工程とを備える。
【発明の効果】
【０００９】
本願の代表的な発明によれば、金型から外部へ導出された可撓性基板上への樹脂の流出が抑制できるので、可撓性基板上の樹脂バリを大幅に低減できる。さらに、本発明によれば、金型を強く締め付ける必要がないので、可撓性基板に加わる力を大幅に低減できる。
【図面の簡単な説明】
【００１０】
【図１】本発明の第１の実施形態に係る半導体装置の断面図
【図２】本発明の第１の実施形態に係る製造工程を示す工程断面図
【図３】本発明の第２の実施形態に係る半導体装置の断面図
【図４】本発明の第２の実施形態に係る製造工程を示す工程断面図
【図５】本発明の他の実施形態に係る製造工程の工程断面図
【図６】本発明の第１及び第２の実施形態に係る樹脂封止装置の断面構成図
【発明を実施するための形態】
【００１１】
以下、本発明の実施の形態について図面を参照して説明する。本実施形態で参酌する図面では、発明の理解を容易にするため、各要素が模式的に示されている。本欄においては、前出の要素と同じ要素に同一符号を付すことにより、その説明が省略されることもある。
【００１２】
図１は、本実施形態に係る半導体装置の構成を示す断面図である。この半導体装置は、２つの半導体素子１、可撓性を有するフレキシブル基板（ＦＰＣ基板）２、回路基板３、封止樹脂４ａ、４ｂを備える。本実施形態では、説明の簡略化のため、２つの半導体素子しか示されていないが、実際には、説明されない複数の半導体素子および電子部品が回路基板３上に実装されている。回路基板３については、種々の樹脂基板、セラミック基板、ＦＰＣ基板やリードフレーム等、半導体素子を実装でき、その表面に半導体素子と電気的に接続可能な回路が形成されている基板であれば、本形態に適用可能である。
【００１３】
半導体素子１はバンプ接合部８により回路基板３に電気的に接続される。ＦＰＣ基板２の一端は回路基板３に電気的に接続され、他端は封止樹脂４ａ、４ｂから外部へ導出されている。ＦＰＣ基板２と回路基板３との接続は、はんだ、異方性導電性フィルム、導電性ペースト、或いはコネクタを介して適宜行われる。
【００１４】
封止樹脂４ａ、４ｂの主材料はエポキシ樹脂である。封止樹脂４ａは樹脂中に粉末状のシリカフィラーが高密度に配合され、樹脂内部に分散している。これにより後述する通り、加熱時に樹脂の流動を抑制できる。封止樹脂４ｂはシリカフィラーの配合量が封止樹脂４ａに比べて少ない。これにより、後述する通り加熱時に樹脂が流動し、半導体素子１やＦＰＣ基板２の凹凸形状に追従することが可能となる。
【００１５】
封止樹脂４ａ、４ｂはシリカフィラーの配合量が異なるが、母材のエポキシ樹脂その他の材料については同じ材質で構成されているため、封止樹脂４ａ、４ｂ間界面の接着状況は、半導体素子１やＦＰＣ基板２、回路基板３との界面接着状況に比べ強固である。封止樹脂４ａは、ＦＰＣ基板２が封止樹脂４ａ、４ｂから外部へ導出される部位に配置されている。シリカフィラーは、後述の樹脂封止工程における封止樹脂４ａの流動性（第１の流動性）、及び封止樹脂４ｂの流動性（第２の流動性）を考慮して、その配合量を調整する。本実施形態では、樹脂の流動性を調整するためにシリカフィラーを用いているが、流動性を調整できるフィラーであれば、シリカフィラーに限らない。
【００１６】
次に、このような半導体装置の製造方法について説明する。説明は樹脂封止の工程を中心に説明される。図６には、樹脂封止装置のワーク設置部の概略構成図が示されている。ワークとは、図１に示される半導体装置を得るための構成要素の総称を言うものであり、構造体と称することもある。この樹脂封止装置には、ワークを載置するワーク設置台１０、ワークを加圧する加圧板９、ワークを加熱する加熱手段（図示されない）、ワーク雰囲気を真空にする真空チャンバー１２、ワークの上下から加圧力を付与する加圧装置１１から構成されている。
【００１７】
図６（ａ）の状態から加圧装置１１が下降し、真空チャンバ１２によりワークの周囲が外気から遮断された時（図６（ｂ）の状態）、チャンバ１３に接続された図示しない真空ポンプを作動して開始され、ワークの雰囲気が真空引きされる。その後、加圧手段１２がさらに下降し、加圧板９がワークの上端と接触することでワークに上下方向の加圧力が付与される。なお、加圧板９およびワーク設置台１０には図示しないヒータが内蔵されており、温度調節手段によりワークの温度をコントロールできる。
【００１８】
図２には、ワークおよびその周辺の要部拡大断面図が示されている。図２（ａ）では、成形金型５内に、回路基板３、回路基板３に実装された半導体素子１、回路基板１に接続されたＦＰＣ基板２を備えたワーク（構造体）が配置されている。この成形金型５はＦＰＣ基板２の他端を外部へ導出するための導出孔５ａを備える。成形金型５内には、、導出孔５ａ近傍に対応して第１の流動性を有するシート状の封止樹脂４ａが配置され、その封止樹脂４ａの上方には、第１の流動性より低い第２の流動性を有するシート状の封止樹脂４ｂが配置される。シート状の樹脂４ａ、４ｂは基材６により保持されている。ワーク（構造体）はワーク設置台に固定された固定ジグ７により保持されている。基材６としては、加圧時に湾曲しないような剛性を有し、かつ、加熱時に膨張しないような低線膨張係数となる材質のものが好ましい。また、硬化後において、封止樹脂４との離型性が良好な表面状態を有するものが好ましい。
【００１９】
成形金型５は封止樹脂４を加圧して封止する際に封止樹脂４が外側へ流出するのを防止し、さらに加圧装置１１の加圧力が上下方向だけでなく半導体装置のあらゆる方向に付与され、半導体素子１の側面にも樹脂を押し付けられるようにするためのものである。また、成形金型５によりＦＰＣ基板２の外部引出し部が挟まれた構造となるが、ＦＰＣ基板２と成形金型５間には僅かな隙間を設けているため、加圧時におけるＦＰＣ基板２への影響は最小限にできる。
【００２０】
本実施形態では、封止樹脂４ａの幅は、ＦＰＣ基板２の引き出し部の幅より大きく設定している。これにより成形金型５とＦＰＣ基板２との隙間が封止樹脂４ａで押しつぶされ、封止樹脂４ｂの隙間への進入を塞き止めることができる。封止樹脂４ａは流動性が抑制されており隙間に進入することはない。封止樹脂４ｂはその他の領域を樹脂封止できるよう樹脂量を調節するが、成形金型５、構造体、封止樹脂４ａにより形成された領域の容積より大きな体積となるようにする。余剰分の樹脂は加圧時に成形金型上面からオーバーフローさせる。オーバーフローした樹脂により発生する樹脂バリは簡単に除去できる。
【００２１】
本実施形態の樹脂封止工程は以下の手順により実施される。
（１）図２（ａ）の状態から加圧装置１１を下降し、真空チャンバ１２よりワーク（構造体）の周囲を外気から遮断する。
（２）真空ポンプによりワーク（構造体）の周囲の雰囲気を真空状態にする。
（３）加圧板９およびワーク設置台１０に内蔵されたヒータブロックによりワーク（構造体）を加熱する。
（４）封止樹脂４が溶融温度に到達後、加圧装置１１を下降していくとまず、図２（ｂ）のように封止樹脂４ａが成形金型５のＦＰＣ基板２の外部引き出し部まで達する。さらに、図２（ｃ）に示すように、加圧装置を下降することで、封止樹脂４に加圧力が作用してワーク（構造体）が埋め込み封止される。
（５）加圧装置１１による加圧状態を保持しながら真空チャンバ１２内の真空状態を大気開放する。大気開放することで枠型５外部からワーク内に大気圧がかかる。
（６）上記（５）の状態を保持するか、もしくはこの状態からワークの温度を上げて１次硬化を行う。加圧装置１１と大気圧の作用により半導体素子１の凹凸形状に封止樹脂４ｂが追従していく。ただし、成形金型５のＦＰＣ基板２を引出すための隙間は封止樹脂４ｂに加圧力が作用し流動が起こる前に封止樹脂４ａにより押しつぶされており、封止樹脂４ｂの隙間への進入を塞き止めることができる。また、封止樹脂４ａは流動性が抑制されており隙間に進入しない。
（７）１次硬化終了後、装置および枠型からワークを取り出し、取り出したワークを２次硬化させる。
（８）樹脂表面に発生した除去可能なバリを除去して図１に示す半導体装置が得られる。
【００２２】
本実施形態の構成によれば、金型から外部へ導出された可撓性基板上への樹脂の流出が抑制できるので、可撓性基板上の樹脂バリを大幅に低減できる。さらに、金型を強く締め付ける必要がないので、可撓性基板に加わる力を大幅に低減できる。さらに、樹脂封止を真空雰囲気下で実施することにより、空気の巻込みを抑制することができ、樹脂封止された半導体装置の成形性を確保することができる。さらに、２種類の封止樹脂の基本的な材料構成が同じであるため、両者の界面での接着強度を強固なものにすることができる。さらに、第１の封止樹脂が樹脂封止時にＦＰＣ基板引出し部への樹脂の流動を抑えるので、ＦＰＣ基板表面の樹脂バリの発生を抑制することができる。さらに、成形金型と樹脂封止される半導体装置により形成された領域の容積より大きい封止樹脂を加圧成形することにより樹脂の充填不足による成形不良を解消し、かつ樹脂バリの発生箇所をコントロールすることができる。
【００２３】
次に、本発明の第２の実施形態について説明する。図３は、第２の実施形態の半導体装置の構成を示す断面図である。図４は、樹脂封止工程を示す要部断面図である。本形態では、ＦＰＣ基板２の外部引き出しを封止樹脂４表面から引き出す構成について例示する。第１の実施形態と同一の構成については同一符号を付すことによりその説明を省略する。
【００２４】
本実施形態では、ＦＰＣ基板２の他端が図３に示すように封止樹脂４ｂ上側の一部を切り抜き、切り抜き箇所に封止樹脂４ａを配置する。封止樹脂４ａの切り出し寸法は第１の実施形態と同じくＦＰＣ基板２の引出し部の幅より大きく切り出している。なお、封止樹脂４ａが配置された箇所の封止樹脂４ｂの厚さは封止樹脂全体の厚さより薄くする。薄くすることで図４（ａ）のように封止樹脂４ｂが加圧変形するより先に封止樹脂４ａがＦＰＣ基板の接合部上面に到達し、図４（ｂ）のように加圧作用で封止樹脂４ｂを流動させる際にＦＰＣ基板引出し部が封止樹脂４ａにより塞き止められ、封止樹脂４ｂが外部へ流出するのを抑制することができる。本実施例における樹脂封止工程については第１の実施形態の説明を参酌できる。
【００２５】
本形態においても第１の実施形態同様、ＦＰＣ基板を用いた半導体装置の樹脂封止において、ＦＰＣ基板を金型により締め付けることなく、ＦＰＣ基板も表面のバリを抑制することができる。
【００２６】
なお、上述の実施形態では、封止樹脂４ａ、４ｂの材料としてエポキシ樹脂を用いたが、封止樹脂４ａとしてはアクリルゴムなど樹脂封止工程の前にすでに硬化状態となるゴム弾性体を用いることも可能である。また、封止樹脂４ｂとしては不飽和ポリエステル樹脂、フェノール樹脂、シリコーン樹脂、熱硬化ウレタン樹脂などの種々熱硬化性樹脂を用いてもよい。
【００２７】
また、フィラーとして粉末状シリカの他にアルミナ、窒化アルミ、窒化ホウ素などの高熱伝導性セラミックスなどの粉末微粒子または繊維を用いることで樹脂材料の熱伝導率を高め、高い放熱性を有する樹脂パッケージが得られる。
【００２８】
また、本実施形態では、１つの半導体装置の樹脂封止方法について例示したが、これに限定するものではない。例えば、図５のように、複数の半導体装置が単一の回路基板上に構成され、この回路基板を本実施形態で示した方法により樹脂封止した後、ダイシング工程によりパッケージ化された半導体装置を個片化するといった手順をとることで、複数の半導体装置の樹脂封止を一括して行うことができ、生産性をさらに向上させることができる。
【産業上の利用可能性】
【００２９】
本発明は、可撓性基板が外部に導出された樹脂封止型半導体装置の封止に適用できる。
【符号の説明】
【００３０】
１  半導体素子
２  ＦＰＣ基板
３  回路基板
４ａ、４ｂ  封止樹脂
５  成形金型
５ａ  導出孔
６  樹脂基材
７  ワーク固定ジグ
８  バンプ接合部
９  加圧板
１０  ワーク設置台
１１  加圧装置
１２  真空チャンバ
【図１】
2011114138.tif 000003
【図２】
2011114138.tif 000004
【図３】
2011114138.tif 000005
【図４】
2011114138.tif 000006
【図５】
2011114138.tif 000007
【図６】
2011114138.tif 000008